(57)【要約】      （修正有） 【課題】人体が接触する箇所を衛生的に保つと共に、確実に広告機能を果たす抗菌広告ラベルを提供する。【解決手段】抗菌広告ラベル１は、抗菌層２と、抗菌層２が積層された樹脂製の支持体３と、支持体３に印刷された印刷層４と、支持体３の印刷層４とは反対の面の全域に塗布された接着層５とからなり、全体形状が手指に触れる範囲より大きく、また、手指が触れる頻度の少ない箇所に印刷層４を形成した。【効果】手指が触れる箇所に用いることから、対象物が抗菌層２により衛生的に保たれることはもちろん、広告表示（印刷層４）が隠れてしまうことがない。【選択図】図１
0003113257.tif 000002
【実用新案登録請求の範囲】
【請求項１】
抗菌層と、この抗菌層が積層された樹脂製の支持体と、この支持体に印刷された印刷層と、該支持体の印刷層とは反対の面の全域に塗布された接着層とからなり、全体形状が手指に触れる範囲より大きく、また、手指が触れる頻度の少ない箇所に前記印刷層が形成されていることを特徴とする抗菌広告ラベル。
【考案の詳細な説明】
【技術分野】
【０００１】
本考案は、人体が接触する箇所を衛生的に保つと共に確実な広告機能を果たす抗菌広告ラベルに関するものである。
【背景技術】
【０００２】
下記の特許文献１では、抗菌性ゼオライトの含有量を規定すると共に膜厚を規定することで、少量の抗菌性ゼオライトを用いて十分な抗菌力を示し、かつ高い透明度を有する抗菌性ゼオライト含有フィルムが特許となっている。
【０００３】
下記の特許文献２では、裏面の少なくとも一部に接着剤が塗布されている抗菌剤が混入されたシートが提案されている。また、特許文献２では、そのシートに、広告用の文字などを印刷し、例えば電話器の受話器の把手部、送話部又は受話部、並びに電車等の吊り革の吊り手に設けることも提案されている。
【０００４】
【特許文献１】特公平６−１８８９９号
【特許文献２】実用新案登録第３００３２２２号
【考案の開示】
【考案が解決しようとする課題】
【０００５】
特許文献１は、抗菌性フィルムを用いた有効かつ具体的な用途としては限られた例示しかなされてない。つまり、特許文献１は、単なる表示用のラベルとしてではなく高い広告機能を有するための工夫については何ら記載も示唆もされていない。
【０００６】
一方、特許文献２は、抗菌性のシートに広告機能を付与することが開示されている。しかし、特許文献２は、人体の接触可能性ある箇所を覆うことを目的としているから、特許文献２中に例示される便座、吊り革の吊り手、受話器では、シートは主として人体が接触するような箇所にのみしか存在していない。
【０００７】
その結果、特許文献２は、シートに広告用の文字などを印刷したとしても人体の接触によって広告用の文字などが隠れてしまうので広告機能を果たさないといった問題がある。
【０００８】
本考案が解決しようとする問題点は、人体が接触する箇所を衛生的に保ちつつ、確実に広告機能を果たすことができなかったという点である。
【課題を解決するための手段】
【０００９】
本考案は、抗菌層、印刷層、支持体、接着層、を備え、全体形状を手指に触れる範囲より大きくし、また、手指に触れる頻度の少ない箇所に印刷層を形成したラベルによって課題を解決したものである。
【考案の効果】
【００１０】
本考案に係る抗菌広告ラベルは、手指に触れる可能性のある箇所に抗菌層が存在するから衛生的である。また、本考案に係る抗菌広告ラベルは、該抗菌広告ラベルを設けた対象物の使用時に手指が触れる頻度の少ない箇所に印刷層を形成しているので、印刷層が隠れることなく確実に表示されるから、広告機能を確実に果たすこととなる。
【考案を実施するための最良の形態】
【００１１】
本考案の抗菌広告ラベルは、図１〜図３に示す以下の形態で実施可能である。
図において、抗菌広告ラベル１は、特に手指が触る対象物に貼り付けるものである。この理由は、本考案者の次の知見による。例えば広告として機能させる際「見るであろう」という予測に基づいた箇所に貼り付けるのでは見ない場合もあるので無駄が多い。
【００１２】
しかし、手指が触れる対象物に貼り付けるのであれば、その対象物を探し、触れるために位置を確認するためなどの際に「ほぼまちがいなく見る」から、広告を見る機会も格段に高くなるというものである。
【００１３】
そこで、抗菌広告ラベル１は、まず全体の形状を、対象物において使用時や把持時などに主として手指が触れる箇所よりも大きくしている。
【００１４】
また、抗菌広告ラベル１は、最上層に、抗菌層２が位置している。抗菌層２は、例えば有機高分子フィルムに抗菌性ゼオライトを含有させた透明なシートでなる。この抗菌層２は、後述する印刷層４が形成された樹脂製のフィルムからなる支持体３上の全域に積層、厳密には抗菌層２の裏面に粘着剤を塗布した粘着剤層２ａを介在させて積層されている。
【００１５】
ここで、支持体３を樹脂製としている理由は、以下の通りである。抗菌広告ラベル１は、広告として機能させるべき印刷層４の内容を所定期間で更新する。印刷層４の内容を更新するときは、対象物に貼り付けた抗菌広告ラベル１を剥がして新たな印刷層４の内容の抗菌広告ラベル１に取り替える。
【００１６】
このとき、支持体３が例えば紙などであると、対象物に残ってうまく剥がせないことがある。また、支持体３が紙などであると、水に弱く、手指に触れる箇所が破損、汚損して、印刷層４の更新時期まで初期状態を維持できないからである。こうした理由から、支持体３は樹脂製としているのである。
【００１７】
印刷層４は、厳密には支持体３の抗菌層２側表面の全面に形成された無色透明の印刷用コーティング層３ａ上に形成されている。支持体３は、抗菌層２を支持する基材として機能すると共に、印刷層４を形成するための基材として機能している。なお、支持体３は、印刷層４を形成する他、例えば全面に色や模様が描かれていてもよい。
【００１８】
支持体３（の印刷用コーティング層３ａ上）において、印刷層４は、手指が触れる箇所より大きくした全体形状において、その全面に形成するのではなく、例えば抗菌広告ラベル１の両端に２カ所形成するなど、手指が触れる頻度の少ない箇所に特定して形成する。なお、例え支持体３の全域に着色や模様があったとしても広告内容は印刷層４に表示し、印刷層４は前記した手指が触れる頻度の少ない箇所に形成する。
【００１９】
支持体３の抗菌層２が積層された側と反対の面の全域には、接着剤が塗布された接着層５が位置する。この接着層５は、抗菌広告ラベル１においては最下層に位置し、直接対象物に貼り付けられる層である。接着層５は、その端部から容易に剥がれてしまわないようにするため、特に支持体３の全域に塗布している。
【００２０】
さらに、抗菌広告ラベル１は、未使用の状態では、例えば図２に示す台紙６に貼り付けられた状態とされる（図２（ａ）参照）。台紙６は、図２（ｂ）に示すように、例えば紙でなる基材６Ａの片面（上面）に、コーティング層６Ｂを塗布してなり、特に本例では、基材６Ａとコーティング層６Ｂとの間に、該コーティング層６Ｂのシリコンの目止めとしてポリエチレンラミネート層６ａを介在させている。
【００２１】
抗菌広告ラベル１は、台紙６（コーティング層６Ｂ）に、接着層５が塗布された支持体３が一体とされる。そして、支持体３には、任意の着色や模様が施されると共に任意の広告内容の印刷層４が形成される。
【００２２】
その後、支持体３（及び印刷層４）上に抗菌層２が積層され、対象物に応じた形状の切れ目が形成される。抗菌広告ラベル１をこのようにして作成すれば、定形化された台紙６において印刷層４が容易に形成できると共に対象物に応じた任意の形状とすることが容易となる。
【００２３】
台紙６から剥がした抗菌広告ラベル１は、例えば図３に示すように電話器の受話器７の背面に接着層５により貼り付ける。抗菌広告ラベル１は、全体形状が通常手にする範囲である中間部を挟んで挿話部と受話部までおよぶ大きさとされ、印刷層４が中間部には形成されておらず、送話部と受話部の裏面にそれぞれ長方形状で形成されて位置する。したがって抗菌広告ラベル１は、受話器７を使用しているときであっても印刷層４が手指で隠れることがない。
【００２４】
また、電話がかかってきたときなど使用の際にはほぼ確実に電話器（受話器７）を見るから、広告機能を確実に果たすことになる。そして、受話器７を把持するときには、抗菌層２により使用者に菌を移すこともなく、かつ受話器７に菌が付着して繁殖することもなく、また、抗菌広告ラベル１が汚損したりすることが防止される。
【００２５】
つまり、本考案の抗菌広告ラベル１は、広告機能を果たす印刷層４が手指で隠れることがなく、かつ抗菌層２により衛生的に対象物を扱える。さらには、支持体３が樹脂製とされているので、対象物から剥がすときも容易であり、耐水性、耐候性、を含む耐久性に優れたものとすることができる。
【実施例】
【００２６】
以下、本考案に係る抗菌広告ラベルについてより具体的な実施例について説明する。
（第１実施例）
第１実施例では、本考案の抗菌広告ラベル１を筆記具に貼り付ける。全体形状は、例えばボールペンに使用する場合、手指で把持する部分から、反対方向の端部（以下、後端部という）に至るまでの大きさとされる。そして印刷層４は、前記後端部に形成している。このようにすれば、筆記具全体としては衛生的に使用できると共に、安価でかつ簡単に広告表示機能を持たせることができる。
【００２７】
（第２実施例）
第２実施例では、本考案の抗菌広告ラベル１を湯飲みに貼り付ける。全体形状は、例えば湯飲みにおける口を付ける箇所より若干下方の位置から下部までとされ、側周面の一部又は全周を覆う大きさとされる。印刷層４は上部に形成してもよいが、口を付ける箇所であることから主として下部に形成することが望ましい。本考案の抗菌広告ラベル１は、印刷層４が抗菌層２で覆われているから衛生的には何ら問題がない。
【００２８】
（第３実施例）
第３実施例では、本考案の抗菌広告ラベル１を吊り革の吊り手に貼り付ける。全体形状は、吊り手の全周を覆う大きさとされる。印刷層４は、吊り手の下端部の円弧を除く箇所に形成する。つまり吊り手で実際に手をかける部分には印刷層４は存在しないのである。このようにすれば吊り手を衛生的に使用できるし、広告機能を持たせることができる。
【産業上の利用可能性】
【００２９】
本考案の抗菌広告ラベル１は、高い確率で広告内容を認識させることができる箇所、すなわち手指が触れる箇所に特定し、そのうえ、広告内容を掲載する印刷層４を使用時に手指で隠れてしまうことのない箇所に形成している。そして、本考案の抗菌広告ラベル１は、そのように手指が触れる箇所であるからこそ、衛生的な配慮をしている。
【００３０】
したがって、本考案の抗菌広告ラベル１は、不特定多数が共同して利用するような公共設備における利用が効果的である。その理由は、不特定多数が利用するからこそ衛生的であることが望ましいし、そのように不特定多数が利用する箇所に広告が表示されていれば広告効果が高いからである。
【図面の簡単な説明】
【００３１】
【図１】本考案の抗菌広告ラベルの構成を示し、（ａ）は表面側から見た斜視図、（ｂ）は裏面側から見た斜視図、（ｃ）は（ａ）のＡ−Ａ線断面図である。
【図２】本考案の抗菌広告ラベルが台紙に貼り付けられて未使用の状態を示し、（ａ）は全体を示す図、（ｂ）は台紙の断面図である。
【図３】本考案の抗菌広告ラベル１を電話機の受話器に使用した例を示す斜視図である。
【符号の説明】
【００３２】
１  抗菌広告ラベル
２  抗菌層
３  支持体
４  印刷層
５  接着層
【図１】
0003113257.tif 000003
【図２】
0003113257.tif 000004
【図３】
0003113257.tif 000005